(57)【要約】【課題】筆記体の交換が簡単にでき、出没作動がスムーズなスライド式の多芯筆記具を提供する。【解決手段】前軸の後端部が、後軸の先端部を被覆して、着脱自在に装着した軸筒本体内に、複数の筆記体を配設し、各筆記体の後部に摺動体を着脱自在に連接し、前記摺動体を弾発部材により軸筒後端方向に付勢して配設するとともに、一方の摺動体を軸筒先端開口部方向にスライドすることにより、一方の摺動体に連接した筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記後軸の内壁に、前記後軸の先端面から前記摺動体に向かって、軸方向に沿って延びる複数本の案内溝を形成することを特徴とする。【選択図】          図１
2011011513.tif 000002
【特許請求の範囲】
【請求項１】
前軸の後端部が、後軸の先端部を被覆して、着脱自在に装着した軸筒本体内に複数の筆記体を配設し、各筆記体の後部に摺動体を着脱自在に連接し、前記摺動体を弾発部材により軸筒後端方向に付勢して配設するとともに、一方の摺動体を軸筒先端開口部方向にスライドすることにより、一方の摺動体に連接した筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記後軸の内壁に、前記後軸の先端面から前記摺動体に向かって、軸方向に沿って延びる複数本の案内溝を形成することを特徴とするスライド式の多芯筆記具。
【請求項２】
前記案内溝の周方向の幅が、前記後軸の先端面から摺動体に向かって縮小することを特徴とする請求項１に記載のスライド式の多芯筆記具。
【発明の詳細な説明】
【技術分野】
【０００１】
本発明は、軸筒内に複数の筆記体を配設したスライド式の多芯筆記具に関する。
【背景技術】
【０００２】
従来から、スライド式の多芯筆記具として、例えば、図１から図２に示すように、一方の摺動体６の隆起部６ａを前軸２の先端開口部２ａ方向にスライドすることにより、摺動体６の後端部に形成した係止部６ｂを軸筒に形成した止め部３ａに係止して、筆記体１１の筆記先端部１２を先端開口部２ａから突出した状態を維持し、他方の摺動体７の隆起部７ａを前軸２の先端開口部２ａ方向にスライドせしめることで、他方の摺動体７の解除突起７ｃが一方の摺動体６に当接するとともに、止め部３ａに係止していた一方の摺動体６の係止部６ｂを係脱させ、一方の筆記先端部１２を先端開口部２ａより没入させ、さらに他方の摺動体７を前進することにより他方の係止部７ｂが止め部３ａに係止して筆記体１３の筆記先端部１４の突出状態を維持する、筆記先端部を選択して出没可能な出没機構を有する、ボールペンレフィル等、複数の筆記体を軸筒内に収容した構造のスライド式の多芯筆記具は良く知られている。
【０００３】
こうしたスライド式の多芯筆記具は、各筆記体を摺動体と連動可能、且つ筆記体の摺動をスムーズに行うため、摺動体と筆記体を着脱自在に連接している。そのため、筆記体を交換するには、前軸を取り外して、筆記体を摺動体から取り外し、摺動体と新たな筆記体を係合する必要があるが、摺動体及び筆記体は、軸筒本体の軸心からずれた位置であるために対応する摺動体に筆記体を合わせて連接することは、非常に困難であった。
【０００４】
こうした問題を鑑みて、特開２００８−３６９１９号公報「多芯筆記具」では、後軸内に、各筆記体に対応して複数の孔によって区画した区画部材（詰め栓）を固着し、この区画部材のガイド孔を連通して筆記体を配設することで、筆記体と摺動体を係合し易くすることが開示されている。
【０００５】
ところで、スライド式の多芯筆記具は、摺動体を前進することで、筆記体を軸筒の先端開口部から突出することができるが、各筆記体は、前述の通り、軸筒の軸心から偏心した位置に配設しているために、特許第３４２９７１７号「ボールペン体を含む多芯筆記具」に開示しているように、筆記体の筆記先端部は、軸筒先端部の内壁に当接して、軸筒の先端開口部方向へ移動する。
【先行技術文献】
【特許文献】
【０００６】
【特許文献１】「特開２００８−３６９１９号公報」
【特許文献２】「特許第３４２９７１７号公報」
【発明の概要】
【発明が解決しようとする課題】
【０００７】
そのため、筆記体の交換性を考慮して、単に区画部を軸筒の先端側に移動すると、区画部から突出する筆記体の軸方向の長さが短くなり、軸筒先端部の内壁に当接して、筆記体の筆記先端部を軸筒の先端開口部方向へ移動する距離も短くなり、急激に軸筒の先端開口部方向へ矯正されるため、スムーズな出没作動ができない恐れがある。
【０００８】
本発明の目的は、上述した従来の問題点等に鑑み、筆記体の交換が簡単にでき、出没作動がスムーズなスライド式の多芯筆記具を提供することである。
【課題を解決するための手段】
【０００９】
本発明は、前軸の後端部が、後軸の先端部を被覆して、着脱自在に装着した軸筒本体内に複数の筆記体を配設し、各筆記体の後部に摺動体を着脱自在に連接し、前記摺動体を弾発部材により軸筒後端方向に付勢して配設するとともに、一方の摺動体を軸筒先端開口部方向にスライドすることにより、一方の摺動体に連接した筆記体の筆記先端部を軸筒先端開口部から突出した状態を維持し、他方の摺動体を軸筒先端方向にスライドせしめることで、一方の筆記体の筆記先端部を軸筒先端開口部より没入可能な、筆記先端部を選択して出没可能なスライド式の多芯筆記具であって、前記後軸の内壁に、前記後軸の先端面から前記摺動体に向かって、軸方向に沿って延びる複数本の案内溝を形成することを特徴とする。
【００１０】
また、前記案内溝の周方向の幅が、前記後軸の先端面から摺動体に向かって縮小することを特徴とする。
【００１１】
本願発明の構成によれば、前記後軸の内壁に、前記後軸の先端面から摺動体に向かって延びる案内溝を形成してあるため、前軸を取り外して筆記体を交換する時に、後軸の開口部から案内溝に沿って筆記体を配設することで、筆記体の後端部が、摺動体まで案内されるため、交換作業を容易にすることが可能になる。
【００１２】
また、前記前軸の後端部が、後軸の先端部を被覆して、前軸と後軸を着脱自在に装着することにより、後軸の内壁に、螺合部等の装着部を形成しなくても済み、後軸に案内溝を形成し易く、前軸と後軸の装着に影響することがない。
【００１３】
さらに、前記案内溝の周方向の幅が、前記後軸の先端面から摺動体に向かって縮小することによって、後軸の開口部近傍で案内溝に筆記体を合わせ易く、また、確実に摺動体に案内されるために、交換作業を著しく向上することができる。
【発明の効果】
【００１４】
本発明は、筆記体の交換が簡単にでき、出没作動がスムーズなスライド式の多芯筆記具を提供することができた。
【図面の簡単な説明】
【００１５】
【図１】実施例１におけるスライド式の多芯筆記具を示す要部縦断面図である。
【図２】図１における一方の筆記体の筆記先端部が突出した状態を示す図である。
【図３】図１におけるＡ−Ａ要部縦断面図である。
【図４】図１におけるＢ−Ｂ拡大断面図である。
【図５】図１におけるＣ−Ｃ拡大断面図である。
【図６】図１におけるＤ−Ｄ拡大断面図である。
【発明を実施するための形態】
【００１６】
以下、図面を参照して本発明の実施例を説明する。尚、図面中同じ部材、同じ部品については同じ番号を付してある。
【実施例１】
【００１７】
図１から図６に示すように、実施例１のスライド式の多芯筆記具１は、前軸２の後端部の内壁に形成した雌ねじ部２ｂと、後軸３の先端部の外壁に形成した雄ねじ部３ｂを着脱自在に螺着して軸筒本体を構成し、この軸筒本体内に色の異なるインキ（図示せず）を収容したボールペンレフィルである筆記体１１、１３を収納してある。
【００１８】
また、後軸３には軸心方向に沿って延びる、外方に開口した摺動溝４、５を形成してあり、この摺動溝４、５に、インキ色と同色の摺動体６、７を摺動可能に配設する。摺動体６、７には隆起部６ａ、７ａが設けてあり、この隆起部６ａ、７ａを、摺動溝４、５から後軸３の外周面より突出した状態で、区画部材８の後部に配設した弾発部材９、１０により後方に付勢させて配設してある。
【００１９】
一方の筆記体１１を使用するには、選択した一方の摺動体６の隆起部６ａを前軸２の先端開口部２ａ方向に前進せしめることで、摺動体６に形成した係止部６ｂが後軸３の内部に形成した止め部３ａに係止して、筆記体１１の筆記先端部１２を、前軸２の先端開口部２ａから選択して突出することができる。この時、筆記先端部１２は、前軸２の内壁に当接して、前軸２の先端開口部２ａ方向へ移動して突出する。
【００２０】
また、筆記体１１の筆記先端部１２を突出を維持している状態で、他方の摺動体７の隆起部７ａを前軸２の先端開口部２ａ方向に前進せしめることにより、他方の解除突起７ｃによって、止め部３ａに係止している一方の係止部６ｂを解除して、摺動体６に連接した筆記体１１の筆記先端部１２を前軸２内に没入することができる。
【００２１】
また、後軸３内に、各筆記体１１、１３に対応して区画した貫通孔を有する区画部材８を固設してあり、後軸の内壁には、後軸３の先端面３ｄから摺動体６、７に向かって延びる２本の案内溝３ｃを形成してある。
【００２２】
筆記体を交換するには、先ず、前軸２を後軸３から取り外し、所望する筆記体、例えば筆記体１３を摺動体７から取り外す。その後、新たな筆記体を摺動体７に、着脱自在に装着して交換を行う。この時、後軸３の案内溝３ｃに筆記体を合わせ、後軸３後端方向に押し込むことで、筆記体が案内溝３ｃに沿って後方に移動し、区画部材８の貫通孔に挿通する。さらに筆記体を後軸３後端方向に押し込むと、筆記体の後端部が、摺動体７に当接し、連接することができる。この時、筆記体１３の後端部が区画部材８に曲がって挿通しても案内溝３ｃに沿って確実に摺動体７に達することができる。
【００２３】
また、案内溝３ｃの幅が、後軸３の先端面３ｄから摺動体７に向かって縮小する（Ｌ＞Ｍ＞Ｎ）ように形成してあるので、確実に摺動体７と筆記体との位置を合わせることができる。また、筆記体１１も同様に、摺動体６に向かって縮小して延びる案内溝３ｃを形成しているので、容易に交換することができる。
【００２４】
また、前軸２の後端部の内壁に形成した雌ねじ部２ｂに、後軸３の先端部の外壁に形成した雄ねじ部３ｂを螺合して、着脱自在に装着してあるが、前軸２と後軸３の装着構造は、着脱自在であれば、特に限定されない。但し、前軸２の後端部が、後軸３の先端部を被覆して、前軸２と後軸３を着脱自在に装着することにより、後軸３の内壁に案内溝３ｂを形成し易く、且つ交換時に筆記体を案内溝３ｂに配置し易くすることが肝要である。
【００２５】
尚、摺動体に筆記体を連接する構造は、圧入嵌合、乗り越し嵌合等、従来から知られている連接構造を用いることができるが、図示はしていないが、摺動体の前方にＳ極又はＮ極の磁極を示す第１磁石を装着し、筆記体の後端部に、第１磁石に引力となる磁力を生じる磁石を装着することによって、交換作業を容易にできるので好ましい。
【００２６】
さらに、後軸を透明または半透明とすることで、案内溝の底部では、他の部分よりも肉薄になるため、外部からの視認性が良好となるので好ましい。
【産業上の利用可能性】
【００２７】
本発明のスライド式の多芯筆記具は、筆記体の数、筆記体に収容するインキ色、インキの種類等に限定されるものでなく、ボールペン３本や４本など、スライド式の多芯筆記具として広く利用可能である。
【符号の説明】
【００２８】
１  スライド式の多芯筆記具
２  前軸
２ａ  先端開口部
２ｂ  雌ねじ部
３  後軸
３ａ  止め部
３ｂ  雄ねじ部
３ｃ  案内溝
３ｄ  先端面
４、５  摺動溝
６、７  摺動体
６ａ、７ａ  隆起部
７ｂ、７ｂ  係止部
７ｃ、７ｃ  解除突起
８  区画部材
９、１０  弾発部材
１１、１３  筆記体
１２、１４  筆記先端部
Ｌ、Ｍ、Ｎ  案内溝幅
【図１】
2011011513.tif 000003
【図２】
2011011513.tif 000004
【図３】
2011011513.tif 000005
【図４】
2011011513.tif 000006
【図５】
2011011513.tif 000007
【図６】
2011011513.tif 000008